(57)【要約】  １以上の送受信ポイントを利用した繰り返し送信を適切に制御するために、本開示の一態様に係るユーザ端末は、繰り返し送信における各繰り返しに対してそれぞれ設定される送信パラメータのセットと、前記繰り返し送信を指示する下り制御情報に含まれる情報と、に基づいて前記各繰り返しに適用される所定条件を決定する制御部と、前記所定条件に基づいて１以上の送受信ポイントから繰り返し送信される下り共有チャネルを受信する受信部と、を有する。
2020066021.tif 000002
【特許請求の範囲】
【請求項１】
繰り返し送信における各繰り返しに対してそれぞれ設定される送信パラメータのセットと、前記繰り返し送信を指示する下り制御情報に含まれる情報と、に基づいて前記各繰り返しに適用される所定条件を決定する制御部と、
前記所定条件に基づいて１以上の送受信ポイントから繰り返し送信される下り共有チャネルを受信する受信部と、を有することを特徴とするユーザ端末。
【請求項２】
前記送信パラメータは、前記各繰り返しにそれぞれ対応する送受信ポイントに関する情報と冗長バージョンに関する情報が関連付けられて含まれることを特徴とする請求項１に記載のユーザ端末。
【請求項３】
前記送信パラメータは、前記各繰り返しにそれぞれ対応する疑似コロケーション、ＴＣＩ状態、プリコーダ、送受信ポイントインデックス、及び参照信号インデックスの少なくとも一つに関する情報と、繰り返し回数に関する情報と、冗長バージョンに関する情報と、が含まれることを特徴とする請求項１に記載のユーザ端末。
【請求項４】
同じ送信ポイントが複数の繰り返しに設定される場合、前記制御部は、前記複数の繰り返しに異なる冗長バージョンを適用することを特徴とする請求項１から請求項３のいずれかに記載のユーザ端末。
【請求項５】
異なる送信ポイントが複数の繰り返しに設定される場合、前記制御部は、前記複数の繰り返しに同じ冗長バージョンを適用することを特徴とする請求項１から請求項４のいずれかに記載のユーザ端末。
【請求項６】
繰り返し送信における各繰り返しに対してそれぞれ設定される送信パラメータのセットと、前記繰り返し送信を指示する下り制御情報に含まれる情報と、に基づいて前記各繰り返しに適用される所定条件を決定する制御部と、
前記所定条件に基づいて１以上の送受信ポイントに対して上りチャネルを繰り返し送信する送信部と、を有することを特徴とするユーザ端末。
【発明の詳細な説明】
【技術分野】
【０００１】
本開示は、次世代移動通信システムにおけるユーザ端末に関する。
【背景技術】
【０００２】
ＵＭＴＳ（Universal  Mobile  Telecommunications  System）ネットワークにおいて、更なる高速データレート、低遅延などを目的としてＬＴＥ（Long  Term  Evolution）が仕様化された（非特許文献１）。また、ＬＴＥ（３ＧＰＰ（Third  Generation  Partnership  Project）  Ｒｅｌ．（Release）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、５Ｇ（5th  generation  mobile  communication  system）、５Ｇ＋（plus）、ＮＲ（New  Radio）、３ＧＰＰ  Ｒｅｌ．１５以降などともいう）も検討されている。【０００４】
既存のＬＴＥシステム（例えば、３ＧＰＰ  Ｒｅｌ．８−１４）では、ユーザ端末（ＵＥ：User  Equipment）は、下り制御情報（例えば、ＤＣＩ：Downlink  Control  Information）によりスケジューリングされる下り共有チャネル（例えば、ＰＤＳＣＨ：Physical  Downlink  Shared  Channel）を受信する。また、ＵＥは、ＵＬデータチャネル（例えば、ＰＵＳＣＨ：Physical  Uplink  Shared  Channel）及びＵＬ制御チャネル（例えば、ＰＵＣＣＨ：Physical  Uplink  Control  Channel）の少なくとも一方を用いて、上りリンク制御情報（ＵＣＩ：Uplink  Control  Information）を送信する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ、５Ｇ、５Ｇ＋又はＲｅｌ．１５以降）では、ビームフォーミング（ＢＦ：Beam  Forming）を利用して通信を行うことが検討されている。このため、ユーザ端末は、所定のチャネル及び信号の少なくとも一つ（チャネル／信号）の疑似コロケーション（ＱＣＬ：Quasi-Co-Location）に関する情報（ＱＣＬ情報）に基づいて、当該チャネル／信号の受信処理（例えば、デマッピング、復調、復号の少なくとも１つ）を制御することが検討されている。【０００７】
所定のチャネル／信号（例えば、ＰＤＳＣＨ、ＰＤＣＣＨ等）のＱＣＬ情報は、当該所定のチャネル／信号の送信構成指示（ＴＣＩ：Transmission  Configuration  Indication又はTransmission  Configuration  Indicator）の状態（ＴＣＩ状態）とも呼ばれる。【０００８】
ＮＲでは、ＵＬ送信及びＤＬ送信において繰り返し送信（repetition）を行うことも検討されている。また、所定数の繰り返し（例えば、１繰り返し）毎に異なる送受信ポイント（ＴＲＰ：Transmission  and  Reception  Point）を利用して繰り返し送信を行うことも検討されている。【０００９】
複数のＴＲＰを利用して繰り返し送信を行う場合、繰り返し毎の送信条件又は受信条件をどのように制御するかが問題となる。通信環境等に応じて複数のＴＲＰを利用した繰り返し送信を柔軟に行う観点からは、繰り返し毎の条件を柔軟に制御することが望ましいが、どのように制御するかについてまだ十分に検討が進んでいない。【００１０】
そこで、本開示は、１以上の送受信ポイントを利用した繰り返し送信を適切に制御可能なユーザ端末を提供することを目的の１つとする。
【課題を解決するための手段】
【００１１】
本開示の一態様に係るユーザ端末は、繰り返し送信における各繰り返しに対してそれぞれ設定される送信パラメータのセットと、前記繰り返し送信を指示する下り制御情報に含まれる情報と、に基づいて前記各繰り返しに適用される所定条件を決定する制御部と、前記所定条件に基づいて１以上の送受信ポイントから繰り返し送信される下り共有チャネルを受信する受信部と、を有することを特徴とする。
【発明の効果】
【００１２】
本開示の一態様によれば、１以上の送受信ポイントを利用した繰り返し送信を適切に制御することができる。
【図面の簡単な説明】
【００１３】
【図１】図１Ａ及び図１Ｂは、複数のＴＲＰを利用した繰り返し送信の一例を示す図である。
【図２】図２は、繰り返しに対応するＱＣＬインデックスとＲＶインデックスの一例を示す図である。
【図３】図３は、各繰り返しについてＤＣＩで指定されるＴＲＰインデックスとＲＶインデックスの一例を示す図である。
【図４】図４は、一実施形態に係る無線通信システムの概略構成の一例を示す図である。
【図５】図５は、一実施形態に係る基地局の構成の一例を示す図である。
【図６】図６は、一実施形態に係るユーザ端末の構成の一例を示す図である。
【図７】図７は、一実施形態に係る基地局及びユーザ端末のハードウェア構成の一例を示す図である。
【発明を実施するための形態】
【００１４】
（繰り返し送信）
ＮＲでは、ＰＵＣＣＨ、ＰＵＳＣＨ、ＰＤＳＣＨ、ＰＤＣＣＨなどのチャネルについて、マルチスロット送信を行うことが検討されている。マルチスロット送信は、複数のスロットにわたる送信であって、スロットアグリゲーション、繰り返し（repetition）送信などと呼ばれてもよい。マルチスロット送信により、カバレッジの拡大、受信品質の向上などが期待できる。
【００１５】
例えば、ＵＥは、上位レイヤシグナリング、物理レイヤシグナリング又はこれらの組み合わせを用いてあるチャネルの繰り返し送信が設定された場合、当該チャネルを繰り返し送信、又は繰り返し送信されたチャネルを受信してもよい。マルチスロット送信の各スロットでは、同じ内容の信号が送信されてもよいし、異なる内容の信号が送信されてもよい。
【００１６】
なお、本開示において、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００１７】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）、その他のシステム情報（ＯＳＩ：Other  System  Information）などであってもよい。
【００１８】
物理レイヤシグナリングは、例えば、下り制御情報（ＤＣＩ：Downlink  Control  Information）であってもよい。
【００１９】
ＰＵＳＣＨ繰り返しについては、上位レイヤシグナリング（例えば、ＰＵＳＣＨに関してはＲＲＣパラメータ「aggregationFactorUL」、コンフィギュアドグラントＰＵＳＣＨに関してはＲＲＣパラメータ「repK」）によって、繰り返し数がＵＥに設定されてもよい。ＰＵＳＣＨ繰り返しの繰り返し数としては、例えば、１、２、４、８などが設定されてもよい。また、ＰＵＳＣＨ繰り返し送信中の各スロットにおけるＰＵＳＣＨの冗長バージョン（ＲＶ：Redundancy  Version）は、それぞれ異なってもよいし、同じであってもよい。
【００２０】
ＰＵＣＣＨ繰り返しは、特定のフォーマット（例えば、送信期間が４シンボル以上であるＰＵＣＣＨフォーマット１、３及び４）に関してＵＥに設定されてもよい。ＰＵＣＣＨフォーマット１、３及び４の全てに対して、繰り返し数（繰り返し因数、repetition  factor、例えば、ＲＲＣの「PUCCH-FormatConfig」に含まれるパラメータ「nrofSlots」）は共通に設定されてもよい。
【００２１】
ＰＤＳＣＨ繰り返しについては、上位レイヤシグナリング（例えば、ＰＤＳＣＨに関してはＲＲＣパラメータ「aggregationFactorDL」）によって、繰り返し数が設定されてもよい。ＰＤＳＣＨ繰り返しの繰り返し数としては、例えば、１、２、４、８などが設定されてもよい。
【００２２】
なお、本開示において、繰り返し数（repetition  number）、繰り返し因数、繰り返し係数、Ｋは、互いに読み替えられてもよい。また、繰り返し数は、特定のＵＬ送信（例えば、ＰＵＳＣＨ、ＰＵＣＣＨ）、又はＤＬ送信（例えば、ＰＤＳＣＨ、ＰＤＣＣＨ）の繰り返し数を表してもよい。
【００２３】
また、ＮＲでは、複数の送受信ポイント（ＴＲＰ：Transmission  and  Reception  Point）を想定してチャネル及び信号の少なくとも一つ（チャネル／信号）を繰り返して（repetition）送信することが検討されている。
【００２４】
当該チャネル／信号は、例えば、ＰＤＳＣＨ、ＰＤＣＣＨ、ＰＵＳＣＨ、ＰＵＣＣＨ、ＤＬ−ＲＳ、上り参照信号（ＵＬ−ＲＳ）等であるが、これに限られない。
【００２５】
図１Ａ及び１Ｂは、複数のＴＲＰを用いたチャネル／信号の繰り返し送信の一例を示す図である。例えば、図１Ａでは、ＴＲＰ＃１〜＃４を用いた下りチャネル（例えば、ＰＤＳＣＨ）の繰り返し送信の一例が示され、図１Ｂでは、ＴＲＰ＃１〜＃４を用いた上りチャネル（例えば、ＰＵＳＣＨ又はＰＵＣＣＨ）の繰り返し送信の一例が示される。
【００２６】
図１では、ＴＲＰ＃１〜＃４の地理的な位置（ＴＣＩ状態又は疑似コロケーション）が異なる一例が示される。例えば、ここでは、ＴＲＰ＃１とＱＣＬ＃１が対応し、ＴＲＰ＃２とＱＣＬ＃２が対応し、ＴＲＰ＃３とＱＣＬ＃３が対応し、ＴＲＰ＃４とＱＣＬ＃４が対応する場合を示しているが、これに限られない。また、ＴＲＰ＃１〜＃４は、同じ送信場所に設置される異なるアンテナパネルであってもよい。また、繰り返し送信に用いられるＴＲＰの数も図示するものに限られない。
【００２７】
なお、「ＴＲＰ」は、ネットワーク、基地局、アンテナ装置、アンテナパネル、サービングセル、セル、コンポーネントキャリア（ＣＣ）又はキャリア等と、言い換えられてもよい。また、異なる送受信信号又はチャネルについて、「ＴＲＰが同一である」とは、異なる送受信信号またはチャネルの間、あるいはそれらの参照信号間で、ＴＣＩ状態、ＱＣＬ又はＱＣＬ関係、プリコーディング、ビームフォーミング、または空間受信パラメータが同一であると言い換えられてもよい。また、異なる送受信信号又はチャネルについて、「ＴＲＰが異なる」とは、異なる送受信信号又はチャネルの間、あるいはそれらの参照信号間で、ＴＣＩ状態、ＱＣＬ又はＱＣＬ関係、プリコーディング、ビームフォーミング、または空間受信パラメータが異なると言い換えられてもよい。
【００２８】
（ＱＣＬ）
ＱＣＬとは、（Quasi-Co-Location）とは、チャネル／信号の統計的性質を示す指標であり、疑似コロケーションとも呼ばれる。ＵＥは、ユーザ端末は、所定のチャネル及び信号の少なくとも一つ（チャネル／信号）のＱＣＬに関する情報（ＱＣＬ情報）に基づいて、当該チャネル／信号の受信処理又は送信処理を制御してもよい。受信処理は、例えば、デマッピング、復調、復号の少なくとも１つに相当する。送信処理は、マッピング、変調、符号の少なくとも１つに相当する。
【００２９】
例えば、ある信号と他の信号がＱＣＬの関係である場合、これらの異なる複数の信号間において、ドップラーシフト（doppler  shift）、ドップラースプレッド（doppler  spread）、平均遅延（average  delay）、遅延スプレッド（delay  spread）、空間パラメータ（Spatial  parameter）（例えば、空間受信パラメータ（Spatial  Rx  Parameter））の少なくとも１つが同一である（これらの少なくとも１つに関してＱＣＬである）と仮定できることを意味してもよい。
【００３０】
なお、空間受信パラメータは、ユーザ端末の受信ビーム（例えば、受信アナログビーム）、又は送信ビーム（例えば、送信アナログビーム）に対応してもよく、空間的ＱＣＬに基づいてビームが特定されてもよい。本開示におけるＱＣＬ、及びＱＣＬの少なくとも１つの要素は、ｓＱＣＬ（spatial  QCL）で読み替えられてもよい。
【００３１】
ＱＣＬは、複数のタイプ（ＱＣＬタイプ）が規定されてもよい。例えば、同一であると仮定できるパラメータ（又はパラメータセット）が異なる４つのＱＣＬタイプＡ−Ｄが設けられてもよく、以下に当該パラメータについて示す：
・ＱＣＬタイプＡ：ドップラーシフト、ドップラースプレッド、平均遅延及び遅延スプレッド、
・ＱＣＬタイプＢ：ドップラーシフト及びドップラースプレッド、
・ＱＣＬタイプＣ：ドップラーシフト及び平均遅延、
・ＱＣＬタイプＤ：空間受信パラメータ。
【００３２】
送信構成指示（ＴＣＩ：Transmission  Configuration  Indication又はTransmission  Configuration  Indicator）の状態（ＴＣＩ状態（TCI-state））は、所定のチャネル／信号（例えば、ＰＤＳＣＨ、ＰＤＣＣＨ、ＰＵＣＣＨ又はＰＵＳＣＨ等）のＱＣＬ情報を示してもよい。
【００３３】
ＴＣＩ状態は、所定の識別子（ＴＣＩ状態ＩＤ（TCI-StateId））によって識別され、対象となるチャネル／信号（又は当該チャネル用の参照信号（又は当該参照信号のアンテナポート））と、別の信号（例えば、別の下り参照信号（ＤＬ−ＲＳ：Downlink  Reference  Signal）又は上り参照信号（ＵＬ−ＲＳ：Uplink  Reference  Signal））とのＱＣＬに関する情報（ＱＣＬ情報（QCL-Info））を示してもよい（含んでもよい）。
【００３４】
ＱＣＬ情報は、例えば、対象となるチャネル／信号とＱＣＬ関係となるＤＬ−ＲＳ又はＵＬ−ＲＳ（以下、単にＲＳとも記す）に関する情報（ＲＳ関連情報）及び上記ＱＣＬタイプを示す情報（ＱＣＬタイプ情報）、ＲＳが配置されるキャリア（セル）及びＢＷＰに関する情報の少なくとも１つを含んでもよい。
【００３５】
ＲＳ関連情報は、対象となるチャネル／信号とＱＣＬ関係となるＲＳ及び当該ＲＳのリソースの少なくとも一つを示す情報を含んでもよい。例えば、ユーザ端末に複数の参照信号セット（ＲＳセット）が設定される場合、当該ＲＳ関連情報は、当該ＲＳセットに含まれるＲＳのうち、チャネル（又は当該チャネル用のポート）とＱＣＬ関係を有するＲＳ、当該ＲＳ用のリソースなどの少なくとも１つを示してもよい。
【００３６】
ＤＬ−ＲＳは、例えば、同期信号（ＳＳ：Synchronization  Signal）、ブロードキャストチャネル（ＰＢＣＨ：Physical  Broadcast  Channel）、同期信号ブロック（ＳＳＢ：Synchronization  Signal  Block）、モビリティ参照信号（ＭＲＳ：Mobility  RS）、チャネル状態情報参照信号（ＣＳＩ−ＲＳ：Channel  State  Information-Reference  Signal）、トラッキング用のＣＳＩ−ＲＳ、ビーム固有の信号などの少なくとも１つ、又はこれらを拡張、変更などして構成される信号（例えば、密度及び周期の少なくとも一方を変更して構成される信号）であってもよい。
【００３７】
同期信号は、例えば、プライマリ同期信号（ＰＳＳ：Primary  Synchronization  Signal）及びセカンダリ同期信号（ＳＳＳ：Secondary  Synchronization  Signal）の少なくとも１つであってもよい。ＳＳＢは、同期信号及びブロードキャストチャネルを含む信号ブロックであり、ＳＳ／ＰＢＣＨブロックなどと呼ばれてもよい。
【００３８】
ＵＬ−ＲＳは、例えば、サウンディング参照信号（ＳＲＳ：Sounding  Reference  Signal）であってもよい。
【００３９】
ところで、上述したように、ＮＲでは複数の送受信ポイントを利用して繰り返し送信を行うことも検討されている。複数のＴＲＰを利用して繰り返し送信を行う場合、繰り返し毎の送信条件又は受信条件をどのように制御するかが問題となる。通信環境に基づいて複数のＴＲＰを利用した繰り返し送信を柔軟に行う観点からは、繰り返し毎の条件を柔軟に制御することが望ましいが、どのように制御するかについてまだ十分に検討が進んでいない。
【００４０】
本発明者らは、繰り返し送信に含まれる各繰り返しに送信パラメータをそれぞれ設定することにより複数の送受信ポイントを利用した繰り返し送信を柔軟に制御できることを着想した。
【００４１】
以下、本開示に係る実施形態について、図面を参照して詳細に説明する。以下で説明する構成は、それぞれ単独で適用されてもよいし、組み合わせて適用されてもよい。
【００４２】
（各繰り返しの条件通知）
１以上のＴＲＰを利用した繰り返し送信を適用する場合、繰り返し送信の各繰り返しに適用される所定条件（又は、所定送信パラメータ）を基地局からＵＥに通知する方法について以下に説明する。なお、以下に示す繰り返し送信は、下りチャネル（例えば、ＰＤＳＣＨ）及び上りチャネル（例えば、ＰＵＳＣＨとＰＵＣＣＨ）に対してそれぞれ適用してもよい。また、以下の説明において所定チャネルをＰＤＳＣＨ、ＰＵＳＣＨ又はＰＵＣＣＨに読み替えてもよい。
【００４３】
基地局は、繰り返し送信の各繰り返しに対応するＴＲＰ（又は、各繰り返し送信がそれぞれ行われるＴＲＰ）に関する情報をＵＥに通知してもよい。ＴＲＰに関する情報（ＴＲＰ関連情報とも記す）には、疑似コロケーション（ＱＣＬインデックス、又はＱＣＬ−ｒｅｆｅｒｅｎｃｅ）、ＴＣＩ状態（又は、ＴＣＩインデックス）、プリコーダ（Ｐｒｅｃｏｄｅｒ）、参照信号インデックス（ＲＳ  ｉｎｄｅｘ）、ＴＲＰインデックス及びＳＲＳリソース指示（ＳＲＩ：SRS  resource  indicator）の少なくとも一つが含まれていてもよい。
【００４４】
以下の説明では、ＴＲＰ関連情報としてＱＣＬインデックスを例に挙げて説明するが、ＱＣＬインデックスは、ＴＣＩ状態（又は、ＴＣＩインデックス）、プリコーダ、参照信号インデックス、ＴＲＰインデックス、及びＳＲＩのいずれかに読み替えてもよい。
【００４５】
基地局は、繰り返し送信に適用されるＴＲＰ関連情報（ＱＣＬインデックス、又はＱＣＬ−ｒｅｆｅｒｅｎｃｅ）のシーケンスのセットをＵＥに通知してもよい。
【００４６】
また、基地局は、所定チャネルに繰り返し送信を適用する場合、繰り返し送信の回数に関する情報（繰り返しファクタＫとも呼ぶ）、及び各繰り返しに適用される冗長バージョンに関する情報（以下、ＲＶ情報とも呼ぶ）の少なくとも一つをＵＥに通知してもよい。例えば、基地局は、各繰り返しに適用される所定条件（又は、所定パラメータ）として、ＴＲＰ関連情報及びＲＶ情報の対応づけをＵＥに指定してもよい。あるは、基地局は、各繰り返しに適用される所定条件として、ＴＲＰ関連情報、ＲＶ情報、及び繰り返しファクタの対応づけをＵＥに指定してもよい。
【００４７】
例えば、基地局は、上位レイヤシグナリング（例えば、ＲＲＣシグナリング、又は報知情報等）を利用して、繰り返し送信の各繰り返しに適用される送信パラメータの候補セットをＵＥに通知し、下り制御情報（例えば、ＤＣＩ）を利用して特定の候補セットを指定してもよい。
【００４８】
なお、送信パラメータの候補セットは、ＴＲＰ関連情報（例えば、ＴＲＰ関連情報シーケンス）の候補セット、又はＲＶ情報（例えば、ＲＶシーケンス）の候補セットであってもよい。あるいは、送信パラメータの候補セットは、ＴＲＰ関連情報の候補セット（例えば、ＱＣＬインデックスのシーケンスセット）と、ＲＶ情報の候補セット（例えば、ＲＶインデックスのシーケンスセット）の組み合わせであってもよい。
【００４９】
ＵＥは、基地局から指定された繰り返し送信（繰り返しファクタ）に応じて、ＴＲＰ関連情報シーケンスと、ＲＶシーケンスで設定された値を循環（サイクリング）することにより、各繰り返しの送信条件を決定できる。
【００５０】
以下に、上位レイヤを利用した通知制御と、ＤＣＩを利用した通知制御について説明する。なお、以下の説明において、ＤＣＩは、繰り返し送信に対して１つ送信される構成としてもよいし、繰り返し送信における各繰り返しに対してそれぞれ送信される構成としてもよい。
【００５１】
＜上位レイヤによる通知制御＞
基地局は、上位レイヤシグナリングを利用して以下の情報をＵＥに設定してもよい。
【００５２】
［ＴＲＰ関連情報のシーケンスセット］
基地局は、Ｎ個のＴＲＰに対して、繰り返し送信に適用されるＱＣＬインデックス（又は、ＱＣＬ−ｒｅｆｅｒｅｎｃｅ）のシーケンスを所定セット（例えば、Ｍセット）だけＵＥに設定してもよい。ＭとＮは同じ値であってもよいし、異なる値であってもよい。ＱＣＬインデックスのシーケンスは、各繰り返しにそれぞれ対応するＱＣＬインデックスに対応付けられてもよい。
【００５３】
ＵＥは、所定チャネル用のＭ（Ｍ≧１）種類のＱＣＬインデックスのシーケンスが、上位レイヤシグナリングによって設定されてもよい。なお、ＵＥに設定されるＱＣＬインデックスのシーケンスのセット数Ｍは、ＵＥの能力（UE  capability）、ＱＣＬタイプ及びＴＲＰ数の少なくとも１つによって決定されてもよい。
【００５４】
所定チャネルに対応するＤＣＩ（例えば、所定チャネルのスケジューリングに用いられるＤＣＩ）には、特定のＱＣＬインデックスのシーケンスを指定する所定フィールドが含まれていてもよい。
【００５５】
ＵＥに設定されるＱＣＬインデックスセット数Ｍが所定数ｘ（例えば、ｘ＝８）より大きい場合、ＭＡＣ  ＣＥを用いて、８種類以下のＱＣＬインデックスがアクティブ化（指定）されてもよい。ＤＣＩ内の所定フィールドの値は、ＭＡＣ  ＣＥによりアクティブ化されたＴＣＩ状態またはＳＲＳリソースの一つを示してもよい。
【００５６】
ＵＥに設定されるＱＣＬインデックスのシーケンスのセット数Ｍが所定数ｘ（例えば、ｘ＝８）以下の場合、ＤＣＩを利用して特定のシーケンスセットをＵＥに指定してもよい。
【００５７】
ＵＥは、ＤＣＩに含まれる所定フィールドに基づいて、上位レイヤで設定される複数セットのＱＣＬインデックスのシーケンス（シーケンス候補セット）の中から特定のＱＣＬインデックスのシーケンスを選択する。
【００５８】
シーケンスのフォーマットは、例えば以下の通り設定してもよい。なお、Ｎ、ｉ、ｊ、ｇ≧１としてもよい。
｛（ＴＲＰ＃１の１番目のＱＣＬインデックス、ＴＲＰ＃１の２番目のＱＣＬインデックス、．．．ＴＲＰ＃１のｉ番目のＱＣＬインデックス）、（ＴＲＰ＃２の１番目のＱＣＬインデックス、ＴＲＰ＃２の２番目のＱＣＬインデックス、．．．ＴＲＰ＃２のｊ番目のＱＣＬインデックス）、．．．（ＴＲＰ＃Ｎの１番目のＱＣＬインデックス、ＴＲＰ＃Ｎの２番目のＱＣＬインデックス、．．．ＴＲＰ＃Ｎのｇ番目のＱＣＬインデックス）｝
【００５９】
例えば、ＴＲＰ数が２（Ｎ＝２）、ＣＱＩインデックスのシーケンスが｛（１，２）、（３，４）｝、繰り返し数が４（Ｋ＝４）となる場合を想定する。かかる場合、各繰り返し（ｋ＝０−３）に対して、ＴＲＰ＃１に対応するＱＣＬインデックス＃１（ｋ＝０）、ＴＲＰ＃１に対応するＱＣＬインデックス＃２（ｋ＝１）、ＴＲＰ＃２に対応するＱＣＬインデックス＃３（ｋ＝２）、ＴＲＰ＃２に対応するＱＣＬインデックス＃４（ｋ＝３）が適用される。
【００６０】
基地局は、異なる繰り返しに対して同一ＴＲＰに対応するＱＣＬインデックスを設定してもよい。この場合、ＱＣＬインデックスは同じであってもよいし異なっていてもよい。
【００６１】
［繰り返し数］
基地局は、繰り返し送信に適用する繰り返し数の最大値（例えば、ｙ）に関する情報を上位レイヤシグナリングでＵＥに通知してもよい。この場合、基地局は、ＤＣＩを利用して繰り返しファクタＫ（Ｋ≦ｙ）をＵＥに指定してもよい。これにより、繰り返し送信に適用する繰り返し数を動的に制御することが可能となる。
【００６２】
［ＲＶシーケンス］
基地局は、各繰り返しに対応する冗長バージョン（ＲＶ）シーケンスに関する情報をＵＥに上位レイヤシグナリングで設定してもよい。
【００６３】
ＲＶは、データの符号化及びレートマッチングに用いられ、データの冗長化の違いを示す。冗長バージョンの値（ＲＶ値）は、例えば、０、１、２、３であり、０は冗長化の度合いが最も低いため初回送信に好適に用いられる。
【００６４】
例えば、同一のＨＡＲＱプロセス番号（ＨＰＮ：HARQ  process  number）のデータ（例えば、ＵＬデータ）の送信毎に異なるＲＶ値を適用することにより、データを正常に受信（復号）できる確率が高くなり、ＨＡＲＱのゲインを効果的に得ることができる。例えば、基地局は、繰り返しに対するＲＶシーケンスとして、｛０，０，０，０｝、｛０，３，０，３｝、又は｛０，３，２，１｝等をＵＥに設定してもよい。
【００６５】
また、基地局は、ＱＣＬインデックスのシーケンスとＲＶシーケンスの組み合わせ候補を上位レイヤシグナリングでＵＥに設定し、ＤＣＩを利用して特定の組み合わせを指定してもよい。
【００６６】
ＵＥは、Ｋ回の繰り返しに対して、設定されたＱＣＬインデックスシーケンスと、ＲＶシーケンスを循環して適用してもよい。つまり、ＱＣＬインデックスシーケンスの循環（QCL-references  sequence  cycling）と、ＲＶシーケンスの循環（RV  sequence  cycling）が繰り返しに適用される。
【００６７】
図２は、ＴＲＰ数が２（Ｎ＝２）、ＱＣＬインデックスのシーケンスが｛（１，２）、（３，４）｝、ＲＶシーケンスが｛０，３，０，３｝、繰り返しファクタが８（Ｋ＝８）である場合のＱＣＬインデックスと繰り返しインデックスとＲＶインデックスの関係を示している。ＵＥは、８回の繰り返しに対して設定されたＱＣＬインデックスとＲＶインデックスを循環して適用してもよい。
【００６８】
＜ＤＣＩによる通知制御＞
基地局は、上位レイヤで設定した候補セット（例えば、ＱＣＬインデックスシーケンスのセット、及びＲＶインデックスシーケンスのセットの少なくとも一つ）の中から特定の候補をＤＣＩを利用してＵＥに指定する。例えば、基地局は、ＤＣＩに含まれる所定のフィールドのビット（又は、コードポイント）を利用して、各繰り返しに適用するＴＲＰに関する情報（例えば、ＴＲＰ関連情報）とＲＶ値に関する情報を指定する。
【００６９】
［ＰＵＳＣＨ］
ＰＵＳＣＨに繰り返し送信を適用する場合を想定する。Ｒｅｌ．１５のＤＣＩに含まれる周波数ホッピングの通知フィールド（Frequency-hopping  indication  field）は、リソース割当て（例えば、タイプ１リソース割当て）の最上位ビット（ＭＳＢ  ｂｉｔｓ）の１又は２ビットを利用して設定される。
【００７０】
一方で、所定の通信サービス（例えば、ＵＲＬＬＣ）では、通信処理の単位が短いＴＴＩで実効され、且つ低い変調・符号化方式（low  MCS  Index）が適用され、広い帯域幅を利用して行われることが想定される。そのため、周波数ダイバーシチゲインが既に十分得られており、周波数ホッピングにより得られる効果は小さくなる。
【００７１】
そのため、ＴＲＰ関連情報を指定するフィールドは、リソース割当ての最上位ビットの２ビットを利用して設定してもよい。一方で、周波数ホッピングを指定するフィールドは設定しない構成としてもよい。ＵＥは、ＴＲＰ関連情報を指定するフィールドと、周波数ホッピングを指定するフィールドが同時に設定されないと想定してもよい。
【００７２】
ＴＲＰ関連情報を指定するフィールドは、プリコーダサイクリング通知フィールド（Precoder-cycling  indication  field）、ＱＣＬサイクリング通知フィールド（QCL-cycling  indication  field）、ＳＲＩサイクリング通知フィールド（SRI-cycling  indication  field）、又はプリコーダ／ＱＣＬ／ＳＲＩサイクリング通知フィールド（Precoder/QCL/SRI-cycling  indication  field）と呼ばれてもよい。
【００７３】
あるいは、ＴＲＰ関連情報を指定するフィールドは、リソース割当ての最上位ビットの１ビットを利用して設定してもよい。この場合、周波数ホッピングを指定するフィールドを１ビットで設定する構成としてもよい。
【００７４】
なお、ＴＲＰ関連情報を指定するフィールドは、ＤＣＩに含まれる他のフィールドの一部又は全部のビットを利用して設定してもよいし、新規に設定してもよい。
【００７５】
［ＰＤＳＣＨ］
ＰＤＳＣＨに繰り返し送信を適用する場合を想定する。Ｒｅｌ．１５のＤＣＩに含まれる仮想リソースブロック−物理リソースブロックマッピング通知フィールド（VRB-to-PRB  mapping  indication  field）は、１ビットで設定される。
【００７６】
一方で、所定の通信サービス（例えば、ＵＲＬＬＣ）では、通信処理の単位が短いＴＴＩで実効され、且つ低い変調・符号化方式（low  MCS  Index）が適用され、広い帯域幅を利用して行われることが想定される。そのため、周波数ダイバーシチゲインが既に十分得られており、インターリーブの適用（仮想リソースブロックから物理リソースブロックへのマッピング）により得られる効果は小さくなる。
【００７７】
そのため、ＴＲＰ関連情報を指定するフィールドは、仮想リソースブロック−物理リソースブロックマッピング通知フィールドを利用して設定してもよい。一方で、仮想リソースブロック−物理リソースブロックマッピング通知フィールドは設定しない構成としてもよい。ＵＥは、ＴＲＰ関連情報を指定するフィールドと、仮想リソースブロック−物理リソースブロックマッピング通知フィールドが同時に設定されないと想定してもよい。
【００７８】
なお、ＴＲＰ関連情報を指定するフィールドは、ＤＣＩに含まれる他のフィールドの一部又は全部のビットを利用して設定してもよいし、新規に設定してもよい。
【００７９】
ＴＲＰ関連情報（例えば、ＱＣＬインデックス）のシーケンス（例えば、ＱＣＬサイクリングシーケンスとも呼ぶ）の通知と、ＲＶ系列の通知と、繰り返しファクタは、ＤＣＩの異なるフィールドでそれぞれ送信されてもよいし、同じフィールド（joint  field）を利用して送信されてもよい。
【００８０】
図３は、ＴＲＰ関連情報のシーケンス（例えば、ＴＲＰインデックスシーケンス）と、ＲＶシーケンスが関連付けられて定義されたテーブルの一例を示している。この場合、ＵＥは、ＤＣＩに含まれる所定フィールドに基づいて、各繰り返しに対応するＴＲＰ関連情報（例えば、ＴＲＰインデックス）と、ＲＶの値を判断してもよい。
【００８１】
図３において、所定フィールドが‘００’である場合、各繰り返しに対して異なるＴＲＰ（ここでは、ＴＲＰ＃０−＃３）が設定される。例えば、繰り返しファクタが４である場合、４回の繰り返し送信がそれぞれ異なるＴＲＰを利用して行われる。例えば、基地局は、ＵＥに対していずれのＴＲＰが適切か判断できない場合には、複数のＴＲＰを利用した繰り返し送信を設定する。
【００８２】
この場合、ＲＶシーケンス（各繰り返しに対応するＲＶの値）は、同じ値（例えば、＃０）とすることが好ましい。つまり、各繰り返しのＴＲＰインデックスを異なって（又は、循環して）設定する場合、各繰り返しに対応するＲＶの値は固定的に設定する。これにより、各繰り返しに異なるＴＲＰが適用される場合であっても、各繰り返しに対応するチャネルに対する復号等の受信処理を適切に行うことができる。
【００８３】
図３において、所定フィールドが‘０１’である場合、各繰り返しに対して複数のＴＲＰ（ここでは、ＴＲＰ＃０とＴＰＲ＃１）が設定されると共に、一部の繰り返しについて同じＴＲＰが設定される。例えば、繰り返しファクタが４である場合、４回の繰り返しがＴＲＰ＃０とＴＲＰ＃１をそれぞれ２回利用して行われる。例えば、基地局は、ＵＥに対してＴＲＰ＃０とＴＲＰ＃１が適していると判断できる場合に、複数のＴＲＰのうち一部のＴＲＰを利用した繰り返し送信を設定する。
【００８４】
この場合、同じＴＲＰ（例えば、ＴＲＰ＃０）に対応する異なる繰り返しに対して、ＲＶシーケンス（各繰り返しに対応するＲＶの値）を異なる値（例えば、＃０と＃３）を適用することが好ましい。これにより、同じＴＲＰを利用した異なる繰り返しにおいて、異なるＲＶが適用されたチャネルを受信できるため、受信の成功確率を向上することができる。
【００８５】
図３において、所定フィールドが‘１０’である場合、各繰り返しに対して複数のＴＲＰ（ここでは、ＴＲＰ＃０とＴＰＲ＃２）が設定されると共に、一部の繰り返しについて同じＴＲＰが設定される。例えば、繰り返しファクタが４である場合、４回の繰り返しがＴＲＰ＃０とＴＲＰ＃２をそれぞれ２回利用して行われる。例えば、基地局は、ＵＥに対してＴＲＰ＃０とＴＲＰ＃２が適していると判断できる場合に、複数のＴＲＰのうち一部のＴＲＰを利用した繰り返し送信を設定する。
【００８６】
図３において、所定フィールドが‘１１’である場合、各繰り返しに対して同じＴＲＰ（ここでは、ＴＲＰ＃０）が設定される。例えば、繰り返しファクタが４である場合、４回の繰り返し送信が同じＴＲＰを利用して行われる。例えば、基地局は、ＵＥに対して特定のＴＲＰ（ここでは、ＴＲＰ＃０）が適していると判断できている場合に、複数のＴＲＰのうち特定のＴＲＰを利用した繰り返し送信を設定する。
【００８７】
この場合、ＲＶシーケンス（各繰り返しに対応するＲＶの値）は、異なる値（例えば、＃０、＃２、＃３、＃１）とすることが好ましい。つまり、各繰り返しのＴＲＰインデックスを同一（又は、固定的）に設定する場合、各繰り返しに対応するＲＶの値は異なって（又は、循環して）設定する。これにより、各繰り返しに同一のＴＲＰが適用される場合に、異なるＲＶが適用されたチャネルを受信できるため、受信の成功確率を向上することができる。
【００８８】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【００８９】
図４は、一実施形態に係る無線通信システムの概略構成の一例を示す図である。無線通信システム１は、３ＧＰＰ（Third  Generation  Partnership  Project）によって仕様化されるＬＴＥ（Long  Term  Evolution）、５Ｇ  ＮＲ（5th  generation  mobile  communication  system  New  Radio）などを用いて通信を実現するシステムであってもよい。
【００９０】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ：Evolved  Universal  Terrestrial  Radio  Access）とＮＲとのデュアルコネクティビィティ（ＥＮ−ＤＣ：E-UTRA-NR  Dual  Connectivity）、ＮＲとＬＴＥとのデュアルコネクティビィティ（ＮＥ−ＤＣ：NR-E-UTRA  Dual  Connectivity）などを含んでもよい。
【００９１】
ＥＮ−ＤＣでは、ＬＴＥ（Ｅ−ＵＴＲＡ）の基地局（ｅＮＢ）がマスターノード（ＭＮ：Master  Node）であり、ＮＲの基地局（ｇＮＢ）がセカンダリーノード（ＳＮ：Secondary  Node）である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【００９２】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（ＮＮ−ＤＣ：NR-NR  Dual  Connectivity））をサポートしてもよい。
【００９３】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【００９４】
ユーザ端末２０は、複数の基地局１０のうち、少なくとも１つに接続してもよい。ユーザ端末２０は、複数のコンポーネントキャリア（ＣＣ：Component  Carrier）を用いたキャリアアグリゲーション（Carrier  Aggregation）及びデュアルコネクティビティ（ＤＣ）の少なくとも一方を利用してもよい。
【００９５】
各ＣＣは、第１の周波数帯（ＦＲ１：Frequency  Range  1）及び第２の周波数帯（ＦＲ２：Frequency  Range  2）の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【００９６】
また、ユーザ端末２０は、各ＣＣにおいて、時分割複信（ＴＤＤ：Time  Division  Duplex）及び周波数分割複信（ＦＤＤ：Frequency  Division  Duplex）の少なくとも１つを用いて通信を行ってもよい。
【００９７】
複数の基地局１０は、有線（例えば、ＣＰＲＩ（Common  Public  Radio  Interface）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はＩＡＢ（Integrated  Access  Backhaul）ドナー、中継局（リレー）に該当する基地局１２はＩＡＢノードと呼ばれてもよい。
【００９８】
基地局１０は、他の基地局１０を介して、又は直接コアネットワーク３０に接続されてもよい。コアネットワーク３０は、例えば、ＥＰＣ（Evolved  Packet  Core）、５ＧＣＮ（5G  Core  Network）、ＮＧＣ（Next  Generation  Core）などの少なくとも１つを含んでもよい。
【００９９】
ユーザ端末２０は、ＬＴＥ、ＬＴＥ−Ａ、５Ｇなどの通信方式の少なくとも１つに対応した端末であってもよい。
【０１００】
無線通信システム１においては、直交周波数分割多重（ＯＦＤＭ：Orthogonal  Frequency  Division  Multiplexing）ベースの無線アクセス方式が利用されてもよい。例えば、下りリンク（ＤＬ：Downlink）及び上りリンク（ＵＬ：Uplink）の少なくとも一方において、ＣＰ−ＯＦＤＭ（Cyclic  Prefix  OFDM）、ＤＦＴ−ｓ−ＯＦＤＭ（Discrete  Fourier  Transform  Spread  OFDM）、ＯＦＤＭＡ（Orthogonal  Frequency  Division  Multiple  Access）、ＳＣ−ＦＤＭＡ（Single  Carrier  Frequency  Division  Multiple  Access）などが利用されてもよい。
【０１０１】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１０２】
無線通信システム１では、下りリンクチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネル（ＰＤＣＣＨ：Physical  Downlink  Control  Channel）などが用いられてもよい。
【０１０３】
また、無線通信システム１では、上りリンクチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられてもよい。
【０１０４】
ＰＤＳＣＨによって、ユーザデータ、上位レイヤ制御情報、ＳＩＢ（System  Information  Block）などが伝送される。ＰＵＳＣＨによって、ユーザデータ、上位レイヤ制御情報などが伝送されてもよい。また、ＰＢＣＨによって、ＭＩＢ（Master  Information  Block）が伝送されてもよい。
【０１０５】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（ＤＣＩ：Downlink  Control  Information）を含んでもよい。
【０１０６】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１０７】
ＰＤＣＣＨの検出には、制御リソースセット（ＣＯＲＥＳＥＴ：COntrol  REsource  SET）及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１０８】
１つのＳＳは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１０９】
ＰＵＣＣＨによって、チャネル状態情報（ＣＳＩ：Channel  State  Information）、の送達確認情報（例えば、ＨＡＲＱ−ＡＣＫ（Hybrid  Automatic  Repeat  reQuest）、ＡＣＫ／ＮＡＣＫなどと呼ばれてもよい）、スケジューリングリクエスト（ＳＲ：Scheduling  Request）などが伝送されてもよい。ＰＲＡＣＨによって、セルとの接続確立のためのランダムアクセスプリアンブルが伝送されてもよい。
【０１１０】
なお、本開示において下りリンク、上りリンクなどは「リンク」を付けずに表現されてもよい。また、各種チャネルの先頭に「物理（Physical）」を付けずに表現されてもよい。
【０１１１】
無線通信システム１では、同期信号（ＳＳ：Synchronization  Signal）、下りリンク参照信号（ＤＬ−ＲＳ：Downlink  Reference  Signal）などが伝送されてもよい。無線通信システム１では、ＤＬ−ＲＳとして、セル固有参照信号（ＣＲＳ：Cell-specific  Reference  Signal）、チャネル状態情報参照信号（ＣＳＩ−ＲＳ：Channel  State  Information  Reference  Signal）、復調用参照信号（ＤＭＲＳ：DeModulation  Reference  Signal）、位置決定参照信号（ＰＲＳ：Positioning  Reference  Signal）、位相トラッキング参照信号（ＰＴＲＳ：Phase  Tracking  Reference  Signal）などが伝送されてもよい。
【０１１２】
同期信号は、例えば、プライマリ同期信号（ＰＳＳ：Primary  Synchronization  Signal）及びセカンダリ同期信号（ＳＳＳ：Secondary  Synchronization  Signal）の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、ＳＳＢ（SS  Block）などと呼ばれてもよい。なお、ＳＳ、ＳＳＢなども、参照信号と呼ばれてもよい。
【０１１３】
また、無線通信システム１では、上りリンク参照信号（ＵＬ−ＲＳ：Uplink  Reference  Signal）として、測定用参照信号（ＳＲＳ：Sounding  Reference  Signal）、復調用参照信号（ＤＭＲＳ）などが伝送されてもよい。なお、ＤＭＲＳはユーザ端末固有参照信号（UE-specific  Reference  Signal）と呼ばれてもよい。
【０１１４】
（基地局）
図５は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１１５】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１１６】
制御部１１０は、基地局１０全体の制御を実施する。制御部１１０は、本開示に係る技術分野での共通認識に基づいて説明されるコントローラ、制御回路などから構成することができる。
【０１１７】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１１８】
送受信部１２０は、ベースバンド（baseband）部１２１、ＲＦ（Radio  Frequency）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１１９】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１２０】
送受信アンテナ１３０は、本開示に係る技術分野での共通認識に基づいて説明されるアンテナ、例えばアレイアンテナなどから構成することができる。
【０１２１】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１２２】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１２３】
送受信部１２０（送信処理部１２１１）は、例えば制御部１１０から取得したデータ、制御情報などに対して、ＰＤＣＰ（Packet  Data  Convergence  Protocol）レイヤの処理、ＲＬＣ（Radio  Link  Control）レイヤの処理（例えば、ＲＬＣ再送制御）、ＭＡＣ（Medium  Access  Control）レイヤの処理（例えば、ＨＡＲＱ再送制御）などを行い、送信するビット列を生成してもよい。
【０１２４】
送受信部１２０（送信処理部１２１１）は、送信するビット列に対して、チャネル符号化（誤り訂正符号化を含んでもよい）、変調、マッピング、フィルタ処理、離散フーリエ変換（ＤＦＴ：Discrete  Fourier  Transform）処理（必要に応じて）、逆高速フーリエ変換（ＩＦＦＴ：Inverse  Fast  Fourier  Transform）処理、プリコーディング、デジタル−アナログ変換などの送信処理を行い、ベースバンド信号を出力してもよい。
【０１２５】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１２６】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１２７】
送受信部１２０（受信処理部１２１２）は、取得されたベースバンド信号に対して、アナログ−デジタル変換、高速フーリエ変換（ＦＦＴ：Fast  Fourier  Transform）処理、逆離散フーリエ変換（ＩＤＦＴ：Inverse  Discrete  Fourier  Transform）処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１２８】
送受信部１２０（測定部１２３）は、受信した信号に関する測定を実施してもよい。例えば、測定部１２３は、受信した信号に基づいて、ＲＲＭ（Radio  Resource  Management）測定、ＣＳＩ（Channel  State  Information）測定などを行ってもよい。測定部１２３は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部１１０に出力されてもよい。
【０１２９】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１３０】
なお、本開示における基地局１０の送信部及び受信部は、送受信部１２０、送受信アンテナ１３０及び伝送路インターフェース１４０の少なくとも１つによって構成されてもよい。
【０１３１】
なお、送受信部１２０は、１以上の送受信ポイントを利用して下り共有チャネルを繰り返し送信してもよい。また、送受信部１２０は、１以上の送受信ポイントを利用してＵＥから繰り返し送信される上りチャネル（例えば、ＰＵＳＣＨ又はＰＵＣＣＨ）を受信してもよい。
【０１３２】
制御部１１０は、繰り返し送信における各繰り返しに対してそれぞれ送信パラメータのセットを上位レイヤシグナリングを利用してＵＥに設定すると共に、繰り返し送信を指示する下り制御情報に含まれる情報に基づいて各繰り返しに適用される所定条件をＵＥに通知するように制御する。
【０１３３】
（ユーザ端末）
図６は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１３４】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１３５】
制御部２１０は、ユーザ端末２０全体の制御を実施する。制御部２１０は、本開示に係る技術分野での共通認識に基づいて説明されるコントローラ、制御回路などから構成することができる。
【０１３６】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１３７】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１３８】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１３９】
送受信アンテナ２３０は、本開示に係る技術分野での共通認識に基づいて説明されるアンテナ、例えばアレイアンテナなどから構成することができる。
【０１４０】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１４１】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１４２】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１４３】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１４４】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１４５】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１４６】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１４７】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１４８】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１４９】
なお、本開示におけるユーザ端末２０の送信部及び受信部は、送受信部２２０、送受信アンテナ２３０及び伝送路インターフェース２４０の少なくとも１つによって構成されてもよい。
【０１５０】
なお、送受信部２２０は、１以上の送受信ポイントに対して上りチャネル（例えば、ＰＵＳＣＨ又はＰＵＣＣＨ）を繰り返し送信してもよい。また、送受信部２２０は、１以上の送受信ポイントから繰り返し送信される下り共有チャネル（例えば、ＰＤＳＣＨ）を受信してもよい。
【０１５１】
制御部２１０は、繰り返し送信における各繰り返しに対してそれぞれ設定される送信パラメータのセット、及び繰り返し送信を指示する下り制御情報に含まれる情報に基づいて前記各繰り返しに適用される所定条件を決定してもよい。
【０１５２】
送信パラメータは、前記各繰り返しにそれぞれ対応する送受信ポイントに関する情報と冗長バージョンに関する情報が関連付けられて含まれていてもよい。あるいは、送信パラメータは、前記各繰り返しにそれぞれ対応する疑似コロケーション、ＴＣＩ状態、プリコーダ、送受信ポイントインデックス、及び参照信号インデックスの少なくとも一つに関する情報と、繰り返し回数に関する情報と、冗長バージョンに関する情報と、が含まれていてもよい。
【０１５３】
また、制御部２１０は、同じ送信ポイントが複数の繰り返しに設定される場合、前記複数の繰り返しに異なる冗長バージョンを適用するように制御してもよい。あるいは、制御部２１０は、異なる送信ポイントが複数の繰り返しに設定される場合、複数の繰り返しに同じ冗長バージョンを適用するように制御してもよい。
【０１５４】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１５５】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１５６】
例えば、本開示の一実施形態における基地局、ユーザ端末などは、本開示の無線通信方法の処理を行うコンピュータとして機能してもよい。図７は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１５７】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１５８】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１５９】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１６０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１１０（２１０）、送受信部１２０（２２０）などの少なくとも一部は、プロセッサ１００１によって実現されてもよい。
【０１６１】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０１６２】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１６３】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１６４】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０１６５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１６６】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１６７】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１６８】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１６９】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１７０】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１７１】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１７２】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１７３】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１７４】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１７５】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１７６】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１７７】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１７８】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１７９】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１８０】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１８１】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１８２】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１８３】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１８４】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１８５】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１８６】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１８７】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１８８】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１８９】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１９０】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１９１】
また、情報、信号などは、上位レイヤから下位レイヤ及び下位レイヤから上位レイヤの少なくとも一方へ出力され得る。情報、信号などは、複数のネットワークノードを介して入出力されてもよい。
【０１９２】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１９３】
情報の通知は、本開示において説明した態様／実施形態に限られず、他の方法を用いて行われてもよい。例えば、本開示における情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１９４】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０１９５】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１９６】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１９７】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１９８】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１９９】
本開示において使用する「システム」及び「ネットワーク」という用語は、互換的に使用され得る。「ネットワーク」は、ネットワークに含まれる装置（例えば、基地局）のことを意味してもよい。
【０２００】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２０１】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２０２】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２０３】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２０４】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２０５】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２０６】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２０７】
同様に、本開示におけるユーザ端末は、基地局で読み替えてもよい。この場合、上述のユーザ端末２０が有する機能を基地局１０が有する構成としてもよい。
【０２０８】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２０９】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２１０】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２１１】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２１２】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２１３】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２１４】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２１５】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２１６】
また、「判断（決定）」は、「想定する（assuming）」、「期待する（expecting）」、「みなす（considering）」などで読み替えられてもよい。
【０２１７】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２１８】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２１９】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２２０】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２２１】
本開示において、例えば、英語でのa,  an及びtheのように、翻訳によって冠詞が追加された場合、本開示は、これらの冠詞の後に続く名詞が複数形であることを含んでもよい。
【０２２２】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020066021.tif 000003
【図２】
2020066021.tif 000004
【図３】
2020066021.tif 000005
【図４】
2020066021.tif 000006
【図５】
2020066021.tif 000007
【図６】
2020066021.tif 000008
【図７】
2020066021.tif 000009
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
物理下り共有チャネル（ＰＤＳＣＨ）の繰り返し送信における２つの送信構成指示（ＴＣＩ）状態に関する情報を含む下り制御情報（ＤＣＩ）を受信する受信部と、
前記繰り返し送信における各送信の順序に基づいて、前記各送信に適用された冗長バージョンを決定する制御部と、を有する端末。
【請求項２】
前記制御部は、前記繰り返し送信における各送信の順序と、前記送信に対応する各ＴＣＩ状態とに基づいて、前記冗長バージョンを決定する、請求項１に記載の端末。
【請求項３】
前記制御部は、前記繰り返し送信に第１のＴＣＩ状態に対応する第１の送信と第２のＴＣＩ状態に対応する第２の送信とが含まれる場合、前記第１の送信と前記第２の送信とにそれぞれ適用された異なる冗長バージョンを決定する請求項１に記載の端末。
【請求項４】
前記制御部は、前記繰り返し送信に第１のＴＣＩ状態に対応する第１の送信と第２のＴＣＩ状態に対応する第２の送信とが含まれる場合、同一のＴＣＩ状態に対応する複数の送信に対して適用された異なる冗長バージョンを決定する請求項１又は２に記載の端末。
【請求項５】
前記制御部は、前記ＤＣＩに基づいて、前記第１の送信に適用された冗長バージョン、及び前記第２の送信に適用された冗長バージョンを決定する、請求項３又は４に記載の端末。
【請求項６】
前記ＴＣＩ状態に関する情報と、前記冗長バージョンに関する情報とは、前記ＤＣＩの異なるフィールドで指定されることを特徴とする請求項１から５のいずれかに記載の端末。
【請求項７】
物理下り共有チャネル（ＰＤＳＣＨ）の繰り返し送信における２つの送信構成指示（ＴＣＩ）状態に関する情報を含む下り制御情報（ＤＣＩ）を受信する工程と、
前記繰り返し送信における各送信の順序に基づいて、前記各送信に適用された冗長バージョンを決定する工程と、を有する端末の無線通信方法。
【請求項８】
物理下り共有チャネル（ＰＤＳＣＨ）の繰り返し送信における２つの送信構成指示（ＴＣＩ）状態に関する情報を含む下り制御情報（ＤＣＩ）を端末に送信する送信部と、
前記繰り返し送信における各送信の順序に基づいて、前記各送信に適用された冗長バージョンを決定する制御部と、を有する基地局。
【請求項９】
基地局と端末を含むシステムであって、
前記端末は、
物理下り共有チャネル（ＰＤＳＣＨ）の繰り返し送信における２つの送信構成指示（ＴＣＩ）状態に関する情報を含む下り制御情報（ＤＣＩ）を受信する受信部と、
前記繰り返し送信における各送信の順序に基づいて、前記各送信に適用された冗長バージョンを決定する制御部と、を有し、
前記基地局は、
前記ＤＣＩを送信する送信部と、
前記冗長バージョンを決定する制御部と、を有するシステム。
【手続補正３】
【補正対象書類名】明細書
【補正対象項目名】０００１
【補正方法】変更
【補正の内容】
【０００１】
本開示は、次世代移動通信システムにおける端末、無線通信方法、基地局及びシステムに関する。
【手続補正４】
【補正対象書類名】明細書
【補正対象項目名】００１０
【補正方法】変更
【補正の内容】
【００１０】
そこで、本開示は、１以上の送受信ポイントを利用した繰り返し送信を適切に制御可能な端末、無線通信方法、基地局及びシステムを提供することを目的の１つとする。
【手続補正５】
【補正対象書類名】明細書
【補正対象項目名】００１１
【補正方法】変更
【補正の内容】
【００１１】
本開示の一態様に係る端末は、物理下り共有チャネル（ＰＤＳＣＨ）の繰り返し送信における２つの送信構成指示（ＴＣＩ）に関する情報を含む下り制御情報（ＤＣＩ）を受信する受信部と、前記繰り返し送信における各送信の順序に基づいて、前記各送信に適用された冗長バージョンを決定する制御部と、を有することを特徴とする。
【国際調査報告】
2020066021.tif 000010
2020066021.tif 000011
2020066021.tif 000012